(57)【特許請求の範囲】
【請求項１】
複数の部品画像領域を定める部品画像領域データを記憶しておき、
被写体を撮影し、撮影によって得られた被写体像を表示装置の表示画面上に表示し、
上記表示装置の表示画面上にあらかじめ規定され、上記部品画像領域データによって定められる複数の部品画像領域のうちの一の部品画像領域内にある第１の部品画像を表す第１の部品画像データを記憶し、
再び被写体を撮影し、撮影によって得られた被写体像を表示装置の表示画面上に表示し、
上記表示装置の表示画面上にあらかじめ規定され、上記部品画像領域データによって定められる、複数の上記部品画像領域のうちの他の部品画像領域内にある第２の部品画像を表す第２の部品画像データを記憶し、
記憶された上記第１の部品画像データによって表される上記第１の部品画像と上記第２の部品画像データによって表される部品画像とを組合せ、組合せによって得られた合成画像を表示する、
画像合成方法。
【請求項２】
上記表示装置の表示画面上における同一位置に大きさの異なる複数の上記部品画像領域が規定されており、
大きさの異なる上記部品画像領域のうち１つの上記部品画像領域が指定されることにより、部品画像領域内にある部品画像を表す部品画像データを記憶するものである、
請求項１に記載の画像合成方法。
【請求項３】
あらかじめ定められた基本画像が記憶され、
この基本画像上に上記第１の部品画像および上記第２の部品画像を合成して合成画像を表示する、
請求項１に記載の画像合成方法。
【請求項４】
上記合成画像を印刷する、請求項１に記載の画像合成方法。
【請求項５】
被写体像を撮像し、被写体像を表す画像信号を出力する撮像手段、
上記撮像手段から出力される画像信号によって表される被写体像を表示する表示装置、
複数の部品画像領域を定める部品画像領域データを記憶する部品画像領域データ記憶手段、
被写体を撮像し、被写体像を上記表示装置の表示画面上に表示するように上記撮像手段を制御する第１の撮像制御手段、
上記表示装置の表示画面上にあらかじめ規定され、上記部品画像領域データ記憶手段に記憶されている部品画像領域データによって定められる複数の部品画像領域のうちの一の部品画像領域内にある第１の部品画像を表す第１の部品画像データを記憶する第１の部品画像データ記憶手段、
上記第１の撮像制御手段による制御での被写体の撮像後に、再び被写体を撮像し、被写体像を上記表示装置の表示画面上に表示するように上記撮像手段を制御する第２の撮像制御手段、
上記表示装置の表示画面上にあらかじめ規定され、上記部品画像領域データ記憶手段に記憶されている上記部品画像領域データによって定められる複数の部品画像領域のうちの他の部品画像領域内にある第２の部品画像を表す第２の部品画像データを記憶する第２の部品画像データ記憶手段、ならびに
上記第１の部品画像データ記憶手段に記憶されている第１の部品画像データによって表される第１の部品画像および上記第２の部品画像データ記憶手段に記憶されている第２の部品画像データによって表される第２の部品画像とを組合せ、組合せによって得られる合成画像を上記表示装置に表示する合成画像表示手段、
を備えた画像合成装置。
【請求項６】
上記部品画像領域データ記憶手段が、上記表示装置の表示画面上における同一位置に、大きさの異なる複数の上記部品画像領域を規定する部品画像領域データを記憶するものであり、
上記第１の部品画像データ記憶手段および上記第２の部品画像データ記憶手段の少なくとも一方が、大きさの異なる複数の上記部品画像領域のうち１つの上記部品画像領域が指定されることにより、部品画像領域内にある部品画像を表す画像データを記憶するものである、
請求項５に記載の画像合成装置。
【請求項７】
あらかじめ定められた基本画像を表す基本画像データが記憶された基本画像データ記憶手段を備え、
上記合成画像表示手段が、上記基本画像上に、上記第１の部品画像および上記第２の部品画像を合成して表示する、
請求項５に記載の画像合成装置。
【請求項８】
上記合成画像を印刷するプリンタをさらに備えた請求項５に記載の画像合成装置。
【発明の詳細な説明】
【０００１】
【技術分野】
この発明は、被写体の撮像を複数回行い、この複数回の撮像によって得られた複数の画像のそれぞれの一部を組合せて合成画像を生成する画像合成装置および方法に関する。
【０００２】
【発明の背景】
従来の画像合成装置には２人の被写体を撮像し、２人の顔の中間の顔を表す画像を合成によって作成するものがある。
【０００３】
このような画像合成装置においては、合成後の顔を構成する目、鼻、口などの位置を２人のそれぞれの目、鼻、口などの位置の中間の位置に規定し、かつそれらの大きさも２人の大きさの中間の大きさに定めて２人の顔の中間の顔を表す画像を作成している。
【０００４】
しかしながら、被写体を撮像し、その撮像によって得られた被写体像の一部を抽出し、他の被写体を撮像し、その撮像によって得られた被写体像の一部を抽出し、抽出した被写体像の一部の画像同士を組合せることにより合成画像を生成する簡易な装置は従来存在しない。
【０００５】
【発明の開示】
この発明は、このような合成画像を簡易に生成する装置および方法を提供することを目的とする。
【０００６】
この発明は、複数の部品画像領域を定める部品画像領域データを記憶しておき、被写体を撮影し、撮影によって得られた被写体像を表示装置の表示画面上に表示し、上記表示装置の表示画面上にあらかじめ規定され、上記部品画像領域データによって定められる複数の部品画像領域のうちの一の部品画像領域内にある第１の部品画像を表す第１の部品画像データを記憶し、再び被写体を撮影し、撮影によって得られた被写体像を表示装置の表示画面上に表示し、上記表示装置の表示画面上にあらかじめ規定され、上記部品画像領域データによって定められる、複数の上記部品画像領域のうちの他の部品画像領域内にある第２の部品画像を表す第２の部品画像データを記憶し、記憶された上記第１の部品画像データによって表される上記第１の部品画像と上記第２の部品画像データによって表される部品画像とを組合せ、組合せによって得られた合成画像を表示することを特徴とする。
【０００７】
この発明は、上記方法を実施するのに適した装置も提供している。すなわち、この発明による画像合成装置は、被写体像を撮像し、被写体像を表す画像信号を出力する撮像手段、上記撮像手段から出力される画像信号によって表される被写体像を表示する表示装置、複数の部品画像領域を定める部品画像領域データを記憶する部品画像領域データ記憶手段、被写体を撮像し、被写体像を上記表示装置の表示画面上に表示するように上記撮像手段を制御する第１の撮像制御手段、上記表示装置の表示画面上にあらかじめ規定され、上記部品画像領域データ記憶手段に記憶されている部品画像領域データによって定められる複数の部品画像領域のうちの一の部品画像領域内にある第１の部品画像を表す第１の部品画像データを記憶する第１の部品画像データ記憶手段、上記第１の撮像制御手段による制御での被写体の撮像後に、再び被写体を撮像し、被写体像を上記表示装置の表示画面上に表示するように上記撮像手段を制御する第２の撮像制御手段、上記表示装置の表示画面上にあらかじめ規定され、上記部品画像領域データ記憶手段に記憶されている上記部品画像領域データによって定められる複数の部品画像領域のうちの他の部品画像領域内にある第２の部品画像を表す第２の部品画像データを記憶する第２の部品画像データ記憶手段、ならびに上記第１の部品画像データ記憶手段に記憶されている第１の部品画像データによって表される第１の部品画像および上記第２の部品画像データ記憶手段に記憶されている第２の部品画像データによって表される第２の部品画像とを組合せ、組合せによって得られる合成画像を上記表示装置に表示する合成画像表示手段を備えていることを特徴とする。
【０００８】
この発明によると、複数の部品画像領域が表示装置の表示画面上にあらかじめ定められている。
【０００９】
被写体が撮影され、被写体像が表示装置に表示される。複数の部品画像領域のうちの一の部品画像領域内にある部品画像を表すデータが第１の部品画像として記憶される。
【００１０】
つづいて、撮影された被写体と異なる被写体が撮影され、表示装置に表示される。複数の部品画像領域のうちの一の部品画像領域と異なる他の部品画像領域内にある部品画像を表すデータが第２の部品画像として記憶される。
【００１１】
このようにして記憶された第１の部品画像と第２の部品画像とを組合せて合成画像が生成され、生成された合成画像が表示される。
【００１２】
被写体を部品画像領域に合わせて動かす（ユーザ自身が被写体の場合は、被写体であるユーザ自身が動く）だけで、比較的簡単に合成画像を生成できる。
【００１３】
上記表示装置の表示画面上において同一位置に、大きさの異なる複数の上記部品画像領域を規定しておくこともできる。この場合は、大きさの異なる上記部品画像領域のうち一つの上記部品画像領域が指定されることにより、部品画像領域内にある部品画像を表す画像データを記憶することとなる。
【００１４】
ユーザの所望の大きさの部品画像領域を選択して、合成画像を生成することができる。
【００１５】
基本画像を表す基本画像データをあらかじめ記憶しておき、この基本画像データによって表される基本画像上に上記部品画像を合成することにより合成画像を生成してもよい。
【００１６】
好ましくは、このようにして生成された合成画像を印刷する。
【００１７】
【実施例の説明】
図１は、この実施例による画像合成装置１の斜視図である。
【００１８】
画像合成装置１は、複数のユーザ（被写体）を撮影し、ユーザの画像の一部（部品画像）を組み合わせた画像を表示し、プリントする装置である。
【００１９】
画像合成装置１は、その前方上方のほぼ中央の部分にビデオ・カメラ２が配置されている。ユーザはビデオ・カメラ２に向かって画像合成装置１の前方に立つ。ビデオ・カメラ２によってユーザが撮影される。
【００２０】
ビデオ・カメラ２の下方にはモニタ表示装置３が設けられている。このモニタ表示装置３の表示画面上にビデオ・カメラ２によって撮影された被写体像が動画で表示される（後述のフリーズ・ボタン７が押されることにより、静止画が表示される）。
【００２１】
モニタ表示装置３の右側方には操作ガイダンスを音声で出力するためのスピーカ４が設けられている。ユーザは、スピーカ４から出力される音声にしたがって画像合成装置１を操作する。
【００２２】
画像合成装置１の前面のほぼ中央部には全面に張りだした操作部１２が形成されている。この操作部１２には、後述のように輪郭画像を選択するための選択ボタン５、モニタ表示装置３に表示されている画像を印刷するときに押されるプリント・ボタン６、モニタ表示装置３に静止画を表示させるときに押されるフリーズ・ボタン７、キャンセル・ボタン８およびコイン返却ボタン１３が設けられている。
【００２３】
操作部１２の下方には、画像合成装置１をユーザが利用するときにコインを投入するためのコイン投入口９が設けられている。
【００２４】
画像合成装置１の前面下方にはコイン返却口１０が設けられている。合成画像の印刷前に、コイン返却ボタン１３が押されることによりコイン投入口９に投入されたコインが、コイン返却口１０が返却される。
【００２５】
コイン返却口１０の右側には撮影によって得られた合成画像のプリントを放出するためのプリント放出口１１が設けられている。
【００２６】
図２は、画像合成装置１の電気的構成の一部を示すブロック図である。この図において、図１に示されているスピーカ４は図示が省略されている。
【００２７】
画像合成装置１の全体の動作は、ＣＰＵ２０によって統括される。また、画像合成装置１には動作プログラム、後述する位置合わせ領域を表すデータ、部品画像領域を表すデータ、輪郭画像を表すデータ（図３に輪郭画像の一例が示されている）、その他の必要なデータなどを記憶するためのメモリ２５が含まれている。
【００２８】
コイン投入口９（図１参照）からコインが投入されるとビデオ・カメラ２によって画像合成装置１の前方に立っているユーザが撮影される。ユーザを表すビデオ信号は、ビデオ・カメラ２からビデオ信号入力装置２１に与えられ、ディジタル画像データに変換される。
【００２９】
ディジタル画像データは、画像表示メモリ２２に一時記憶される。ディジタル画像データは画像表示メモリ２２から読み出され、画像表示コントローラ２３に与えられる。画像表示コントローラ２３の制御のもとにディジタル画像データによって表される画像が動画としてモニタ表示装置３の表示画面上に表示される。
【００３０】
操作部１２に含まれるボタンの押し下げを表す信号は、入力コントローラ２４を介してＣＰＵ２０に与えられる。ＣＰＵ２０においては入力した信号にもとづく処理（画像のフリーズ処理、部品画像領域内の画像をメモリ２５に記憶する処理、キャンセル処理など）が行われる。例えば、操作部１２に含まれるフリーズ・ボタン７が押されるとモニタ表示装置３にユーザの静止画が表示され、部品画像領域内の画像を表すデータがメモリ２５に記憶される。ユーザが入れ替わり、再びユーザの撮影およびフリーズ処理が繰り返され、部品画像領域内の画像を表すデータがメモリ２５に記憶される。記憶された画像データによって表される複数の部品画像と輪郭画像とが組み合わされて合成画像がＣＰＵ２０によって生成される。生成された合成画像はモニタ表示装置３に表示される。操作部１２に含まれているプリント・ボタン６が押されると、プリンタ２６によって、モニタ表示装置３に表示されている合成画像のプリント処理が行われる。画像合成処理について詳しくは後述する。
【００３１】
図４は画像合成装置１の処理手順を示すフローチャート、図５から図９はモニタ表示装置３の表示画面の一例を示している。
【００３２】
上述したように画像合成装置１のコイン投入口９にコインが投入されることにより図３に示す処理が開始される。
【００３３】
ユーザによってコインが投入されると、メモリ２５から位置合わせ領域ＡＳを表すデータおよび部品画像領域を表すデータが読み出され、図５に示すようにモニタ表示装置３の表示画面上に位置合わせ領域ＡＳおよび第１の部品画像領域ＡＰ１が表示される（ステップ３１）。
【００３４】
第１の部品画像領域ＡＰ１は合成画像を生成するための部品画像を抽出する領域を表すものである。この第１の部品画像領域ＡＰ１に、合成画像を構成するための所望の部分をユーザが合わせる。第１の部品画像領域ＡＰ１はモニタ表示装置３の表示画面上の中央部分よりも少し上方に表示される。例えば、図５に示す例では第１の部品画像領域ＡＰ１にユーザの目の部分が表示されるようにユーザが動くこととなる。位置合わせ領域ＡＳはユーザの所望の部分を合わせるための目安に表示される領域である。位置合わせ領域ＡＳは、第１の部品画像領域ＡＰ１を囲み、モニタ表示装置３の表示画面上のほぼ中央部分に表示される。位置合わせ領域ＡＳにユーザの顔が表示されるようにユーザが動くことにより、第１の部品画像領域ＡＰ１に撮影されたユーザの目を表す画像の部分が表示されることとなる。
【００３５】
第１の部品画像領域ＡＰ１および位置合わせ領域ＡＳはあらかじめ定められた位置にかつ定められた大きさでモニタ表示装置３の表示画面上に表示される。もっとも、後述するように複数の異なる大きさの第１の部品画像領域をあらかじめ定めておき、ユーザに所望の大きさの部品画像領域を選択させるようにしてもよい。
【００３６】
図５に示すようにモニタ表示装置３の表示画面上に位置合わせ領域ＡＳおよび第１の部品画像領域ＡＰ１が表示されると、一人目のユーザが撮影される（ステップ３２）。一人目のユーザは、モニタ表示装置３の表示画面上に表示されている位置合わせ領域ＡＳを目安にして、第１の部品画像領域ＡＰ１内に自分の目の画像が表示されるように動く（図６参照）。第１の部品画像領域ＡＰ１内にユーザ自身の目の画像が表示されると、ユーザによってフリーズ・ボタン７が押される（ステップ３３）。
【００３７】
フリーズ・ボタン７が押されると、一人目のユーザの静止画がモニタ表示装置３の表示画面上に表示される。第１の部品画像領域ＡＰ１内の第１の部品画像を表すデータ（一人目のユーザの目の画像を表すデータ）がメモリ２５に記憶される（ステップ３４）。
【００３８】
このようにして一人目のユーザの撮影が終了する。
【００３９】
一人目のユーザの撮影が終了すると、二人目のユーザがビデオ・カメラ２の前に立つ。メモリ２５から第２の部品画像領域ＡＰ２を表すデータおよび位置合わせ領域ＡＳを表すデータが読み出され、モニタ表示装置３の表示画面には図７に示すように第２の部品画像領域ＡＰ２および位置合わせ領域ＡＳが表示される（ステップ３５）。
【００４０】
位置合わせ領域ＡＳは一人目のユーザの撮影のときと同じように、撮影の目安のためにその位置合わせ領域ＡＳに顔が表示されるようにするためのものである。第２の部品画像領域ＡＰ２は第１の部品画像領域ＡＰ１と同様に合成画像を生成するための部品画像を生成するための部品画像を抽出する領域を表すものである。第２の部品画像領域ＡＰ２はモニタ表示装置３の表示画面のほぼ中央の部分に、位置合わせ領域ＡＳ内に表示される。この実施例では第２の部品画像領域ＡＰ２にユーザの鼻が表示されるようにユーザが動くこととなる。第２の部品画像領域ＡＰ２もあらかじめ定められた位置に表示される。
【００４１】
第２の部品画像領域ＡＰ２が、モニタ表示装置３の表示画面上に表示されると、二人目のユーザがビデオ・カメラ２によって撮影される（ステップ３６）。二人目のユーザは、モニタ表示装置３の表示画面上に表示されている位置合わせ領域ＡＳを目安にして、第２の部品画像領域ＡＰ２内に自分の鼻が入るように動く（図７参照）。第２の部品画像領域ＡＰ２内に二人目のユーザの鼻が入っているように撮影されていると、ユーザによってフリーズ・ボタン７が押される（ステップ３７）。
【００４２】
フリーズ・ボタン７がユーザによって押されると、二人目のユーザの静止画がモニタ表示装置３の表示画面上に表示される。第２の部品画像領域ＡＰ２内の第２の部品画像を表すデータがメモリ２５に記憶される（ステップ３８）。
【００４３】
このようにして二人目のユーザの撮影が終了する。
【００４４】
二人目のユーザの撮影が終了すると、三人目のユーザがビデオ・カメラ２の前に立つ。メモリ２５から第３の部品画像領域ＡＰ３を表すデータおよび位置合わせ領域を表すデータが読み出され、モニタ表示装置３の表示画面には図８に示すように第３の部品画像領域ＡＰ３および位置合わせ領域ＡＳが表示される（ステップ３９）。
【００４５】
第３の部品画像領域ＡＰ３も第１の部品画像領域ＡＰ１および第２の部品画像領域ＡＰ２と同様に合成画像を生成するための部品画像を抽出する領域を表すものである。第３の部品画像領域ＡＰ３はこの実施例ではユーザの口を表す画像を抽出するものである。第３の部品画像領域ＡＰ３はモニタ表示装置３の表示画面上の中央から少し下方の部分のあらかじめ定められた位置に表示される。
【００４６】
モニタ表示装置３の表示画面上に位置合わせ領域ＡＳおよび第３の部品画像領域ＡＰ３が表示されると、三人目のユーザがビデオ・カメラ２によって撮影される（ステップ４０）。三人目のユーザはモニタ表示装置３の表示画面上に表示されている位置合わせ領域ＡＳを目安にして、第３の部品画像領域ＡＰ３内に自分の口が入るように動く（図８参照）。第３の部品画像領域ＡＳ３内に三人目のユーザの口が入っているように撮影されていると三人目のユーザによってフリーズ・ボタン７が押される（ステップ４１）。
【００４７】
三人目のユーザによってフリーズ・ボタン７が押されると、三人目のユーザの静止画がモニタ表示装置３の表示画面上に表示される。第３の部品画像領域ＡＰ３内の第３の部品画像を表すデータがメモリ２５に記憶される（ステップ４２）。
【００４８】
このようにして三人目のユーザの撮影が終了する。
【００４９】
三人目のユーザの撮影が終了すると、メモリ２５に記憶されている輪郭画像データが読み出されモニタ表示装置３の表示画面上に一つの輪郭画像（図３参照）が表示される。選択ボタン５が一回押されることにより、モニタ表示装置３に表示されている輪郭画像を表すデータと異なるデータがメモリ２５から読み出される。モニタ表示装置３に表示されている輪郭画像と異なる輪郭画像がモニタ表示装置３の表示画面上に表示される。ユーザによって所望の輪郭画像がモニタ表示装置３の表示画面上に表示されるまで選択ボタン５がユーザによって押される。ユーザの所望の輪郭画像がモニタ表示装置３の表示画面に表示されると、ユーザによってフリーズ・ボタン７が押される。ユーザによってフリーズ・ボタン７が押されることにより合成画像の生成に用いられる輪郭画像が決定する（ステップ４３）。
【００５０】
輪郭画像が決定すると、メモリ２５に記憶されている第１の部品画像を表す画像データ、第２の部品画像を表す画像データおよび第３の部品画像を表す画像データがメモリ２５から読み出され、第１の部品画像、第２の部品画像および第３の部品画像が、第１の部品画像領域ＡＰ１、第２の部品画像領域および第３の部品画像領域ＡＰ３によって定められる位置において、決定された輪郭画像上に張り付けられるように、第１の部品画像データ、第２の部品画像データおよび第３の部品画像データならびに輪郭画像データの合成処理が行われる（ステップ４４）。
【００５１】
このようにして生成された合成画像がモニタ表示装置３の表示画面上に表示される（ステップ４５）。生成された合成画像の一例が図９に示されている。
【００５２】
合成画像がモニタ表示装置３の表示画面上に表示され、ユーザによってプリント・ボタン６が押されると、モニタ表示装置３に表示されている合成画像がプリンタ２６によって印刷される（ステップ４６）。
【００５３】
図１０は他の実施例を示すもので、モニタ表示装置３の表示画面の一例を示している。
【００５４】
上述した実施例では、同一位置に表示される部品画像領域は一種類の大きさのものであったが、図１０に示すものでは大きさの異なる三種類の部品画像領域が規定されている。ユーザはこれらの三種類の部品画像領域の中から所望の大きさの部品画像領域を選択する。ユーザによって選択された部品画像領域内の部品画像が抽出され、上述のように合成画像が生成される。
【００５５】
この実施例ではコイン投入口９にコインが投入されると、モニタ表示装置３の表示画面には図１０に示すようなメイン表示領域ＡＭおよび部品画像選択領域ＡＣを含む画面が表示される。この画面を表示するためのデータはメモリ２５に記憶されているのはいうまでもない。
【００５６】
部品画像選択領域ＡＣには３つの部品選択領域ＡＣ１，ＡＣ２およびＡＣ３が含まれている。これらの部品選択領域ＡＣ１，ＡＣ２およびＡＣ３にはそれぞれユーザの目を表す画像を抽出するための部品画像領域が表示されている。第１の部品選択領域ＡＣ１には大きさの一番小さな部品画像領域が表示されている。第２の部品選択領域ＡＣ２には大きさの中くらいの部品画像領域が表示されている。第３の部品画像領域ＡＣ３には大きさの一番大きな部品画像領域が表示されている。
【００５７】
モニタ表示装置３に図１０に示す画面が表示されている状態で、ユーザが選択ボタン５を押すと、選択ボタン５の一回の押し下げに応答して枠Ｆが一つ上の選択領域を囲むように枠Ｆが移動する。ユーザによって部品画像が決定されると、ユーザはフリーズ・ボタン７を押す。フリーズ・ボタン７が押された時点で枠Ｆによって囲まれている部品画像領域がメイン表示画面ＡＭの第１の部品画像領域の表示位置（ユーザが位置合わせ領域ＡＭに顔が表示されるように動いたときに目が表示される位置）に表示される。この後は図４のステップ３２に示す処理と同じ処理が行われ、三人のユーザが交替で撮影され、上述のようにユーザによって輪郭画像が決定することにより合成画像が生成される。
【００５８】
図１０に示すように大きさの異なる複数の部品画像領域のうちの所望の大きさの部品画像領域を選択して合成画像を生成できるので、眼鏡をかけたユーザを撮影した場合であってもその眼鏡を含めて第１の部品画像を表すデータとしてメモリ２５に記憶でき、合成画像を生成することができる。
【００５９】
上述した実施例においてはあらかじめ複数の輪郭画像を表すデータを記憶しておき、ユーザの所望の輪郭画像を選択し、目、鼻、および口を表す画像を選択された輪郭画像に張り付けて合成画像を生成しているが、ユーザを撮影し、ユーザの輪郭画像を用いて合成画像を生成するようにしてもよい。
【図面の簡単な説明】
【図１】画像合成装置の斜視図である。
【図２】画像合成装置の電気的構成の一部を示すブロック図である。
【図３】輪郭画像の一例を示している。
【図４】画像合成装置の処理手順を示すフローチャートである。
【図５】表示画面の一例を示している。
【図６】表示画面の一例を示している。
【図７】表示画面の一例を示している。
【図８】表示画面の一例を示している。
【図９】表示画面の一例を示している。
【図１０】表示画面の一例を示している。
【符号の説明】
１  画像合成装置
２  ビデオ・カメラ
３  モニタ表示装置
５  選択ボタン
６  プリント・ボタン
７  フリーズ・ボタン
１２  操作部
２０  ＣＰＵ
２２  画像表示メモリ
２３  画像表示コントローラ
２５  メモリ
２６  プリンタ
【図１】
0003793623.tif 000002
【図２】
0003793623.tif 000003
【図３】
0003793623.tif 000004
【図４】
0003793623.tif 000005
【図５】
0003793623.tif 000006
【図９】
0003793623.tif 000007
【図６】
0003793623.tif 000008
【図７】
0003793623.tif 000009
【図８】
0003793623.tif 000010
【図１０】
0003793623.tif 000011